(57)【要約】      （修正有）【課題】Ｌ型クランプによる加工物の接合、固定、仮止め等の作業時において、クランプを構成する押圧杆の押圧を調節する調節ハンドルを、約３６０度の角度で回動させてどの位置からでも押圧杆を押圧調節してクランプすることができるようにする。【解決手段】調節アーム杆の左側嵌挿孔５に嵌挿し、且前記右側嵌挿孔４より突出する押圧杆ｃに回動自在にして、且若干の角度をもって傾斜する下方当て部を取着すると共に、左側嵌挿孔より上方に突出する前記押圧杆にバネ体を嵌挿し、バネ体６が飛出しないよう突出押圧杆の頭部のストッパー７によって押圧支持し、左側嵌挿孔より下方に突出する前記押圧杆支持部を設けると共に、押圧杆の下端部に設けた下方当て部を押圧し、且押圧杆の回動を停止もしくは押圧杆の回動を自在にした握り柄部９付き調節ハンドルｄを取着する。【選択図】図１
2005007495.tif 000002
【特許請求の範囲】
【請求項１】
握り柄の先端部を稍直角状に折曲する当て部を形成するＬ型握持杆と、一端部に前記握持杆の握り柄を嵌挿する左側嵌挿孔を形成し、他端部に押圧杆を嵌挿する右側嵌挿孔を形成せしめた調節アーム杆を別設し、前記握持杆に対し前記調節アーム杆が直角状に前記調節アーム杆の右側嵌挿孔を嵌挿するＬ型クランプにおいて、
前記調節アーム杆の左側嵌挿孔に嵌挿し、且前記右側嵌挿孔より突出する押圧杆に回動自在にして、且若干の角度をもって傾斜する下方当て部を取着すると共に、前記左側嵌挿孔より上方に突出する前記押圧杆にバネ体を嵌挿し、前記バネ体が飛出しないよう前記突出押圧杆の頭部のストッパーによって押圧支持し、前記左側嵌挿孔より下方に突出する前記押圧杆支持部を設けると共に、前記押圧杆の下端部に設けた下方当て部を押圧し、且前記押圧杆の回動を停止もしくは前記押圧杆の回動を自在にした握り柄部付き調節ハンドルを取着したことを特徴とするＬ型クランプ。
【請求項２】
前記左側嵌挿孔の直下の前記押圧杆に座金を嵌挿することを特徴とする請求項１記載のＬ型クランプ。
【請求項３】
前記調節ハンドルの握り柄部の前方端部を上方部に稍直角状に延設の前記バネ体を圧縮する折曲部の上面部が、前記左側嵌挿孔の底面部もしくは前記座金の理面部に前記バネ体の付勢力によって常時接触させ、前記折曲部を前記支持部に枢着することを特徴とする請求項１又は請求項２記載のＬ型クランプ。
【請求項４】
前記調節ハンドルの握り柄部の端部を延設して形成する折曲部を、前記握り柄部の端部を左右両サイドに展開して左サイド折曲部と、右サイド折曲部とし、前記左右両サイド折曲部が前記押圧体を挾着して前記押圧体を固定すると共に、前記押圧体より突出の前記支持部に前記左サイド折曲部と右サイド折曲部を枢着することを特徴とする請求項１又は請求項２又は請求項３記載のＬ型クランプ。
【請求項５】
前記押圧杆の長さを、前記調節ハンドルの握り柄部と同程度もしくは若干短目に延設することを特徴とする請求項１又は請求項２又は請求項３記又は請求項４載のＬ型クランプ。
【発明の詳細な説明】
【０００１】
【発明の属する技術分野】
本発明は、Ｌ型クランプの分野に関するものである。
【０００２】
【従来の技術】
従来のＬ型クランプとしては、実開昭６４−４２８６２号及び実開平１−７９５６３号並びに実開平１−７９５６４号公開実用新案公報の考案が開示されている。
【０００３】
前記公報中、第１の実開昭６４−４２８６２号公開公報の考案における押圧盤付き押圧螺杆は、握持部１２を回転させて、押え部ｂとキャップ体ａとの幅員を調整していた。
【０００４】
さらに第２の実開平１−７９５６３号公開公報及び第３の実開平１−７９５６４号公開公報のＬ型クランプも、前記第１の公開公報と同じく、押え杆の操作手段は、握持部の回転動作のみであった。
【０００５】
そのため前記３件の実用公開公報のＬ型クランプの押圧螺杆もしくは押え杆は、仮止め物体の対象物に対する係止めする個所によっては、前記押圧螺杆もしくは押え杆の回転がしにくい個所があったとしても、前記押圧螺杆もしくは押え杆を回動して作業をしなければならなかった。従って作業性が不良となる等の弊害があった。
【０００６】
【発明が解決しようとする課題】
本発明は、Ｌ型クランプによる加工物の接合、固定、仮止め等の作業時において、前記クランプを構成する押圧杆の押圧を調節する調節ハンドルを、約３６０度の角度で回動させてどの位置からでも前記押圧杆を押圧調節をしてクランプすることができるようにした。
【０００７】
さらに本発明は、前記加工物の接合、固定、仮止め等の作業時において、従来のＬ型クランプを構成する押圧杆よりも、加工物の押圧状態を確実に確保することができるようにした。
【０００８】
また本発明は、押圧杆を長目にして押圧杆と調節ハンドルとを手指で握持するようにして、前記ハンドルの立ち上げがワンタッチでできるようにした。
【０００９】
【課題を解決するための手段】
請求項１記載の発明は、握り柄の先端部を稍直角状に折曲する当て部を形成するＬ型握持杆と、一端部に前記握持杆の握り柄を嵌挿する左側嵌挿孔を形成し、他端部に押圧杆を嵌挿する右側嵌挿孔を形成せしめた調節アーム杆を別設し、前記握持杆に対し前記調節アーム杆が直角状に前記調節アーム杆の右側嵌挿孔を嵌挿するＬ型クランプにおいて、
前記調節アーム杆の左側嵌挿孔に嵌挿し、且前記右側嵌挿孔より突出する押圧杆に回動自在にして、且若干の角度をもって傾斜する下方当て部を取着すると共に、前記左側嵌挿孔より上方に突出する前記押圧杆にバネ体を嵌挿し、前記バネ体が飛出しないよう前記突出押圧杆の頭部のストッパーによって押圧支持し、前記左側嵌挿孔より下方に突出する前記押圧杆支持部を設けると共に、前記押圧杆の下端部に設けた下方当て部を押圧し、且前記押圧杆の回動を停止もしくは前記押圧杆の回動を自在にした握り柄部付き調節ハンドルを取着したことを特徴とするＬ型クランプである。
【００１０】
請求項２記載の発明は、前記左側嵌挿孔の直下の前記押圧杆に座金を嵌挿することを特徴とする請求項１記載のＬ型クランプである。
【００１１】
請求項３記載の発明は、前記調節ハンドルの握り柄部の前方端部を上方部に稍直角状に延設の前記バネ体を圧縮する折曲部の上面部が、前記左側嵌挿孔の底面部もしくは前記座金の理面部に前記バネ体の付勢力によって常時接触させ、前記折曲部を前記支持部に枢着することを特徴とする請求項１又は請求項２記載のＬ型クランプである。
【００１２】
請求項４記載の発明は、前記調節ハンドルの握り柄部の端部を延設して形成する折曲部を、前記握り柄部の端部を左右両サイドに展開して左サイド折曲部と、右サイド折曲部とし、前記左右両サイド折曲部が前記押圧体を挾着して前記押圧体を固定すると共に、前記押圧体より突出の前記支持部に前記左サイド折曲部と右サイド折曲部を枢着することを特徴とする請求項１又は請求項２又は請求項３記載のＬ型クランプである。
【００１３】
請求項５記載の発明は、前記押圧杆の長さを、前記調節ハンドルの握り柄部と同程度もしくは若干短目に延設することを特徴とする請求項１又は請求項２又は請求項３又は請求項４記載のＬ型クランプである。
【００１４】
【発明の実施の形態】
請求項１〜５記載の発明に関する実施の形態は共通しているので、以下のとおり一括して説明する。
【００１５】
図面において、ａはＬ型握持杆（以下握持杆という。）であり、以下の構成からなっている。
【００１６】
握持杆ａは熱間鍛造にして、耐久性が抜群の直線状握り柄１１の先端部を稍直角状に折曲して所定長さの当て部２を形成する。さらに前記当て部２の先端部には、着脱自在な上面が平坦状の保護キャップ３を設ける。
【００１７】
図面においてｂは一端部に形成した右側嵌挿孔４が前記握持杆ａに嵌挿した際、前記握持杆ａに対し直角状となっている調節アーム杆（以下アーム杆という。）である。このアーム杆ｂは図面図示のように前記握持杆ａに対し、常時直角状となって、握持杆ａの上方より当て部２の方向にスライドが可能である。そして前記アーム杆ｂの前記右側嵌挿孔４と反対側の左側端部に左側嵌挿孔５を形成する。
【００１８】
前記当て部２と前記アーム杆ｂの長さは稍同じ程度とする。
【００１９】
図面において、ｃは前記アーム杆ｂの左側嵌挿孔５に嵌挿したとき、前記握持杆ａと平行になるように前記左側孔５に嵌挿した押圧杆である。そして前記押圧杆ｃの取付け状態は、上方部が前記左側嵌挿孔５よりも若干飛出させる。前記のように飛出した押圧杆ｃにバネ体６を嵌挿すると共に、前記バネ体６が飛出防止のためにストッパー７を前記押圧杆ｃに突出状に取着する。前記バネ体６は前記アーム杆ｂの左側嵌挿孔５の上面部８とストッパー７との間に介在しているが、加工物の接合、固定、仮止め等の押圧作業をしていないときは、若干圧縮される。
【００２０】
前記バネ体６は、通常コイルバネであって、押圧杆ｃの外側面に表われるようにして嵌挿せしめ使用するが、板状でも可である。
【００２１】
さらに前記押圧杆ｃの下端部には、若干の勾配（例えば約２０度）でも締付けができるように回転自在に取着せしめた下方当て部８を設ける。
【００２２】
図面においてｄは調節ハンドル（以下ハンドルという。）であり以下の構成からなっている。このハンドルｄは握り柄部９と前記握り柄部９の端部を左右両方向に股割れし、且前方端部を前記握り柄９に対し上方部に稍直角状に延設する左サイド折曲部１０と右サイド折曲部１０ａを形成する。１１は前記折曲部１０、１０ａの上面部である。
【００２３】
１２は前記左側嵌挿孔５より飛出の前記押圧杆ｃに嵌挿した座金である。１３は前記座金１２の裏面部である。
【００２４】
さらに前記ハンドルｄを構成する左右両サイドの折曲部１０、１０ａは、図面図示のように前記押圧杆ｃの外周部を挾着させる。
【００２５】
前記の構成のハンドルｄは、前記左側嵌挿孔５より飛出している前記押圧杆ｃに嵌挿の座金１２より下方の押圧杆ｃより突設する支持部１４に、前記押圧杆ｃを挾着する前記ハンドルｄの両折曲部１０、１０ａに設けた貫通孔１５に前記支持部１４を貫通せしめ前記ハンドルｄを支持部１４に接続させる。
【００２６】
前記のように接続された前記ハンドルｄは、折曲部１０、１０ａが前記押圧杆ｃを外側方より挾着した状態となっている。
【００２７】
そして前記ハンドルｄを水平状態となっている前記アーム杆ｂ等と同じく平行状態になっているときは、折曲部１０、１０ａの上面部１１は、座金１２の裏面部１３に接触している。
【００２８】
さらに前記した水平状態となっているハンドルｄを回転させると、前記握持杆ａの右側面に前記ハンドルｄの握り柄９が当るし、ハンドルｄを反対方向に回転させると握持杆ａの左側面に当る。以上のようにハンドルｄは、約３６０度回転する。
【００２９】
さらに前記のように水平状態に位置しているハンドルｄを上方向に持上げると、折曲部１０、１０ａの上面部１１の中、上面部１１が座金１２の裏面部１３をスライドしながら上面部１１の中の内側隅部１５が座金１２の裏面部１３を押圧し、バネ体６が圧縮し、比例して押圧杆ｃを下方に降下させる。そのとき加工物を当て部２と下方当て部８とで仮止めする。
【００３０】
前記の垂直状態にあるハンドルｄを外側方に回動し押圧杆ｃと直角状もしくはそれよりも若干大きく回動すると、折曲部１０、１０ａの上面部１１が、前記座金１２の裏面部１３に接触し、バネ体６が若干伸長し、押圧杆ｃが若干上昇する。従って前記クランプの仮止め作業が解除できる。
【００３１】
また本発明のクランプの特長は、ハンドルｄの回動が約３６０度の広い角度で回動させながら、所望する位置でハンドルｄを位置させ、同時にハンドルｄを上方に持上げることによって、押圧杆ｃを降下させ、加工物の仮止めを行う点である。このような構成で作用を有するものは、従来のＬ型クランプにはなかった。
【００３２】
ｅは加工物である。
【００３３】
さらに本発明の特長は、押圧杆ｃの長さをハンドルｄの長さと同程度に長くすることによって、ハンドルｄを上方向に持上げたとき、手指を長くなった押圧杆ｃにも引掛けることができるので、作業性が良い。
【００３４】
【発明の効果】
請求項１記載の発明は、握り柄の先端部を稍直角状に折曲する当て部を形成するＬ型握持杆と、一端部に前記握持杆の握り柄を嵌挿する左側嵌挿孔を形成し、他端部に押圧杆を嵌挿する右側嵌挿孔を形成せしめた調節アーム杆を別設し、前記握持杆に対し前記調節アーム杆が直角状に前記調節アーム杆の右側嵌挿孔を嵌挿するＬ型クランプにおいて、前記調節アーム杆の左側嵌挿孔に嵌挿し、且前記右側嵌挿孔より突出する押圧杆に回動自在にして、且若干の角度をもって傾斜する下方当て部を取着すると共に、前記左側嵌挿孔より上方に突出する前記押圧杆にバネ体を嵌挿し、前記バネ体が飛出しないよう前記突出押圧杆の頭部のストッパーによって押圧支持し、前記左側嵌挿孔より下方に突出する前記押圧杆支持部を設けると共に、前記押圧杆の下端部に設けた下方当て部を押圧し、且前記押圧杆の回動を停止もしくは前記押圧杆の回動を自在にした握り柄部付き調節ハンドルを取着したＬ型クランプなので、ハンドルを加工物の仮止め位置に即応させてどのような位置からでも加工物の仮止めができる。
【００３５】
請求項２記載の発明は、前記左側嵌挿孔の直下の前記押圧杆に座金を嵌挿するＬ型クランプなので、請求項１記載の発明と同じ効果を有していると共に、ハンドルの折曲部の上面部のスライドをスムーズにした。
【００３６】
請求項３記載の発明は、前記調節ハンドルの握り柄部の前方端部を上方部に稍直角状に延設の前記バネ体を圧縮する折曲部の上面部が、前記左側嵌挿孔の底面部もしくは前記座金の理面部に前記バネ体の付勢力によって常時接触させ、前記折曲部を前記支持部に枢着するＬ型クランプなので、請求項１及び請求項２記載の発明と同じ効果を有している。
【００３７】
請求項４記載の発明は、前記調節ハンドルの握り柄部の端部を延設して形成する折曲部を、前記握り柄部の端部を左右両サイドに展開して左サイド折曲部と、右サイド折曲部とし、前記左右両サイド折曲部が前記押圧体を挾着して前記押圧体を固定すると共に、前記押圧体より突出の前記支持部に前記左サイド折曲部と右サイド折曲部を枢着するＬ型クランプなので、押圧杆に対し、取着されているハンドルが偏寄するおそれがなく、常時バランスが確保されている。
【００３８】
請求項５記載の発明は、前記押圧杆の長さを、前記調節ハンドルの握り柄部と同程度もしくは若干短目に延設するＬ型クランプなので、ハンドルの持上げ時に手指が引掛ってハンドルの持上げ作業を良好にした。
【図面の簡単な説明】
【図１】本発明Ｌ型クランプの正面図である。
【図２】同横断平面図である。
【図３】同使用状態を示す斜視図である。
【符号の説明】
ａ            握持杆
ｂ      アーム杆
ｃ      押圧杆
ｄ      ハンドル
ｅ      加工物
１      握り柄
２      当て部
３      保護キャップ
４      右側嵌挿孔
５      左側嵌挿孔
６      バネ体
７      ストッパー
８      上面部
９      握り柄部
１０    左サイド折曲部
１０ａ  右サイド折曲部
１１    上面部
１２    座金
１３    裏面部
１４    支持部
１５    上面部
【図１】
2005007495.tif 000003
【図２】
2005007495.tif 000004
【図３】
2005007495.tif 000005